(57)【要約】      （修正有）【課題】ロック装置を制御するために複数のチャネルを使用するロック制御方法を提供する。【解決手段】起動信号は、第１チャネルを介して遠隔制御装置から送信される２０２。起動信号がアクセス制御端末によって受信された後に、認証プロセスが起動される２０４。制御信号が、遠隔制御装置から第２チャネルを介してアクセス制御端末に送信される２０６。アクセス制御端末は、このアクセス制御端末によって受信された制御信号が、認証プロセスによって所定の規則に一致すると検証された場合に、ロックを解除する２０８、２１０、２２０。第１チャネルは、第２チャネルとは異なる。【選択図】図２
2016010158.tif 000002
【特許請求の範囲】
【請求項１】
遠隔制御装置及びアクセス制御端末を用いるロック制御方法であって、当該方法は：
前記遠隔制御装置が、通信技術を用いて、起動信号を第１チャネルを介して送信するステップと；
前記アクセス制御端末が、第１チャネルを介して前記起動信号を受信した場合に、認証プロセスを起動するステップと；
前記遠隔制御装置が、通信技術を用いて、一組の制御信号を一組の第２チャネルを介して前記アクセス制御端末に順次送信するステップと；
前記アクセス制御端末が、一組の第２チャネルを介して前記一組の制御信号を受信するステップと；
前記認証プロセスによって前記一組の制御信号が所定の規則に一致すると検証された場合に、前記アクセス制御端末が、スイッチ及び／又はロックを解除するステップと；を含み、
第１チャネルは、前記一組の第２チャネルとは異なる、
方法。
【請求項２】
前記一組の制御信号のうちの各制御信号は、前記遠隔制御装置によって時間により生成されたローリングコードを含み、
前記認証プロセスによって前記一組の制御信号が所定の規則に一致すると検証された場合に、前記アクセス制御端末が、スイッチ及び／又はロックを解除するステップは、
前記認証プロセスによって前記一組の制御信号の前記ローリングコードが所定の規則に一致すると検証された場合に、前記アクセス制御端末が、スイッチ及び／又はロックを解除するステップである、
請求項１に記載の方法。
【請求項３】
第１チャネル及び前記一組の第２チャネルは、事前に前記遠隔制御装置及び前記アクセス制御端末に記録されている、
請求項１に記載の方法。
【請求項４】
前記アクセス制御端末が、第１チャネルを介して前記起動信号を受信した場合に、前記認証プロセスを起動するステップは、
前記アクセス制御端末が、第１チャネルを介して前記起動信号を受信した場合に、信号処理ユニットをオンにし、且つ該信号処理ユニットの認証プロセスを起動するステップである、
請求項１に記載の方法。
【請求項５】
前記通信技術は、
赤外線技術、無線周波数技術、近距離通信技術、Ｗｉ−Ｆｉ技術、ジグビー技術、ＵＨＦ無線技術、インターネット・ネットワーク技術、電子メール技術、ブラウザ対話インタフェース技術、インスタントメッセージング（ＩＭ）技術、及び／又は携帯電話のテキストメッセージ技術である、
請求項１に記載の方法。
【請求項６】
遠隔制御装置及びアクセス制御端末を用いるロック制御方法であって、当該方法は：
通信技術を用いて、起動信号を第１チャネルを介して送信するように、前記遠隔制御装置が、第１チャネル選択器によって時間に応じた第１チャネルを選択するステップと；
第１チャネルを介して前記起動信号を受信するように、前記アクセス制御端末が、第２チャネル選択器によって時間に応じた第１チャネルを選択するステップと；
前記アクセス制御端末が、第１チャネルを介して前記起動信号を受信した場合に、認証プロセスを起動するステップと；
一組の制御信号を一組の第２チャネルを介して前記アクセス制御端末に順次送信するように、前記遠隔制御装置が、第１チャネル選択器によって時間に応じた一組の第２チャネルを選択するステップと；
前記一組の第２チャネルを介して前記一組の制御信号を順次を受信するように、前記アクセス制御端末が、第２チャネル選択器によって時間に応じた一組の第２チャネルを選択するステップと；
前記認証プロセスによって前記一組の制御信号が所定の規則に一致すると検証された場合に、前記アクセス制御端末が、スイッチ及び／又はロックを解除するステップと；を含む、
方法。
【請求項７】
第１チャネル選択器及び第２チャネル選択器は、第１チャネル及び前記一組の第２チャネルを選択するときに、第１チャネル選択器によって測定された時間が、第２チャネル選択器によって測定された時間に同期するように、互いに同期される、
請求項６に記載の方法。
【請求項８】
前記一組の制御信号のうちの各制御信号は、前記遠隔制御装置によって時間により生成されたローリングコードを含んでおり、
前記認証プロセスによって前記一組の制御信号が所定の規則に一致すると検証された場合に、前記アクセス制御端末が、スイッチ及び／又はロックを解除するステップは、
前記認証プロセスによって前記一組の制御信号に含まれる前記ローリングコードが所定の規則に一致すると検証された場合に、前記アクセス制御端末が、スイッチ及び／又はロックを解除するステップである、
請求項６に記載の方法。
【請求項９】
前記アクセス制御端末が、第１チャネルを介して前記起動信号を受信した場合に、認証プロセスを起動するステップは、
前記アクセス制御端末が、第１チャネルを介して前記起動信号を受信した場合に、信号処理ユニットがオンにし、且つ該信号処理ユニットの認証プロセスを起動するステップを含む、
請求項６に記載の方法。
【請求項１０】
前記通信技術は、
赤外線技術、無線周波数技術、近距離通信技術、Ｗｉ−Ｆｉ技術、ジグビー技術、ＵＨＦ無線技術、インターネット・ネットワーク技術、電子メール技術、ブラウザ対話インタフェース技術、インスタントメッセージング（ＩＭ）技術、及び／又は携帯電話のテキストメッセージ技術である、
請求項６に記載の方法。
【請求項１１】
遠隔制御装置及びアクセス制御端末を用いるロック制御方法であって、当該方法は：
前記遠隔制御装置が、通信技術を用いて、起動信号を第１チャネルを介して送信するステップと；
前記アクセス制御端末が、第１チャネルを介して前記起動信号を受信した場合に、認証プロセスを起動するステップと；
前記アクセス制御端末が、ローリングコードキーを第２チャネルを介して前記遠隔制御装置に送信するステップと；
ローリングコード発生装置によってローリングコードを生成するように、前記遠隔制御装置が、前記ローリングコードキーをローリングコード発生装置に入力するステップと；
前記遠隔制御装置が、通信技術を用いて、ローリングコードを含む制御信号を第３チャネルを介して前記アクセス制御端末に送信するステップと；
前記アクセス制御端末が、通信技術を用いて、第３チャネルを介して制御信号を受信するステップと；
前記認証プロセスによって前記制御信号及び前記ローリングコードが所定の規則に一致すると検証された場合に、前記アクセス制御端末が、スイッチ及び／又はロックを解除するステップと；を含む、
方法。
【請求項１２】
前記ローリングコード発生装置によってローリングコードを生成するように、前記遠隔制御装置が、ローリングコードキーを遠隔制御モジュールのローリングコード発生装置に入力するステップは、
時間及びローリングコードキーに応じてローリングコードを生成するように、前記遠隔制御装置が、ローリングコードキーを前記遠隔制御モジュールのローリングコード発生装置に入力するステップである、
請求項１１に記載の方法。
【請求項１３】
前記アクセス制御端末が、第１チャネルを介して前記起動信号を受信した場合に、認証プロセスを起動するステップは、
前記アクセス制御端末が、第１チャネルを介して前記起動信号を受信した場合に、信号処理ユニットがオンにし、且つ信号処理ユニットの認証プロセスを起動するステップである、
請求項１１に記載の方法。
【請求項１４】
遠隔制御モジュール及びアクセス制御端末を用いるロック制御方法であって、当該方法は：
前記遠隔制御モジュールが、通信技術を用いて、起動信号を第１チャネルを介して送信するステップと；
前記アクセス制御端末が、第１チャネルを介して起動信号を受信した場合に、認証プロセスを起動するステップと；
前記アクセス制御端末が、通信技術を用いて、ローリングコードキーを第２チャネルを介して前記遠隔制御モジュールの遠隔制御装置に送信するステップと；
ローリングコード発生装置によってローリングコードを生成するように、前記遠隔制御装置が、前記ローリングコードキーを前記遠隔制御モジュールのローリングコード発生装置に入力するステップと；
前記遠隔制御モジュールの信号送信機が、通信技術を用いて、ローリングコードを含む制御信号を第３チャネルを介して前記アクセス制御端末に送信するステップと；
前記アクセス制御端末が、通信技術を用いて、第３チャネルを介して前記制御信号を受信するステップと；
前記認証プロセスによって前記制御信号及び前記ローリングコードが所定の規則に一致すると検証された場合に、前記アクセス制御端末が、スイッチ及び／又はロックを解除するステップと；を含む、
方法。
【請求項１５】
前記遠隔制御モジュールが、通信技術を用いて、前記起動信号を第１チャネルを介して送信するステップは、
前記遠隔制御モジュールの遠隔制御装置が、通信技術を用いて、前記起動信号を第１チャネルを介して送信するステップである、
請求項１４に記載の方法。
【請求項１６】
前記遠隔制御モジュールが、通信技術を用いて、前記起動信号を第１チャネルを介して送信するステップは、
前記遠隔制御モジュールの遠隔制御装置が、通信技術を用いて、第４チャネルを介して遠隔制御モジュールの信号送信機に通知して、前記起動信号を第１チャネルを介して送信するステップである、
請求項１４に記載の方法。
【請求項１７】
前記ローリングコード発生装置によってローリングコードを生成するように、前記遠隔制御装置が、ローリングコードキーを前記遠隔制御モジュールのローリングコード発生装置に入力するステップは、
前記ローリングコード発生装置によってローリングコードを生成するように、前記遠隔制御装置が、ローリングコードキーを前記遠隔制御装置のローリングコード発生装置に入力するステップと；
前記遠隔制御装置が、前記ローリングコードを第４チャネルを介して信号送信機に送信するステップと；を含む、
請求項１４に記載の方法。
【請求項１８】
前記ローリングコード発生装置によってローリングコードを生成するように、前記遠隔制御装置が、ローリングコードキーを前記遠隔制御モジュールのローリングコード発生装置で入力するステップは、
前記遠隔制御装置が、前記ローリングコードキーを第４チャネルを介して信号送信機に送信するステップと；
該信号送信機のローリングコード発生装置が、前記ローリングコードキーに応じてローリングコードを生成するステップと；を含む、
請求項１４に記載の方法。
【請求項１９】
前記ローリングコード発生装置によってローリングコードを生成するように、前記遠隔制御装置が、ローリングコードキーを前記遠隔制御モジュールのローリングコード発生装置に入力するステップは、
時間及びローリングコードキーに応じてローリングコードを生成するように、前記遠隔制御装置が、ローリングコードキーを前記遠隔制御モジュールのローリングコード発生装置に入力するステップである、
請求項１４に記載の方法。
【請求項２０】
前記アクセス制御端末が、第１チャネルを介して起動信号を受信した場合に、認証プロセスを起動するステップは、
前記アクセス制御端末が、第１チャネルを介して起動信号を受信した場合に、信号処理ユニットをオンにし、且つ信号処理ユニットの認証プロセスを起動するステップである、
請求項１４に記載の方法。
【発明の詳細な説明】
【技術分野】
【０００１】
本願は、ロック制御方法に関し、より具体的には、ロック装置を制御するために複数のチャネルを使用するロック制御方法に関する。
【背景技術】
【０００２】
従来技術によれば、ユーザは、遠隔制御装置を操作して、ガレージ用ロック装置等の盗難防止ロック装置をロックする又はロック解除している。ロックを解除する場合には、ユーザは、ロック解除制御信号を遠隔制御装置からロック装置に送信して、回転ドアを開ける等のロック解除操作を行う。従来技術のガレージ用ロック装置は、ソケットによって電力が常に供給されており、ロック解除されたときにドアを開けることができる。従来技術の方法によれば、ロック制御信号／ロック解除制御信号は、単一のチャネルで送信される。
【０００３】
上述したロック装置は、安全ではない。遠隔制御装置を操作してロックする又はロック解除するための制御信号を送信する場合に、窃盗犯が、周波数スキャン方法によって用いられている周波数を盗み、その後、盗んだ周波数を使用して、ドアを解錠するための信号を送信することができる。従って、従来技術のロック装置は容易に破られ、この種の犯罪は非常に恒常化している。
【発明の概要】
【発明が解決しようとする課題】
【０００４】
ロック装置の盗難防止機能を向上させるようなロック制御方法を開発する必要がある。
【課題を解決するための手段】
【０００５】
本発明の実施形態は、ロック制御方法を開示する。このロック制御方法は、遠隔制御装置が、通信技術を用いて、起動信号を第１チャネルを介して送信するステップと；アクセス制御端末が、第１チャネルを介して起動信号を受信した場合に、認証プロセスを起動するステップと；遠隔制御装置が、通信技術を用いて、一組の制御信号を一組の第２チャネルを介してアクセス制御端末に順次送信するステップと；アクセス制御端末が、一組の第２チャネルを介して一組の制御信号を受信するステップと；認証プロセスによって一組の制御信号が所定の規則に一致すると検証された場合に、アクセス制御端末が、スイッチ及び／又はロックを解除するステップと；を含み、第１チャネルは、一組の第２チャネルとは異なる。
【０００６】
本発明の別の実施形態は、ロック制御方法を開示する。このロック制御方法は、通信技術を用いて、起動信号を第１チャネルを介して送信するように、遠隔制御装置が、第１チャネル選択器によって時間に応じた第１チャネルを選択するステップと；第１チャネルを介して起動信号を受信するように、アクセス制御端末が、第２チャネル選択器によって時間に応じた第１チャネルを選択するステップと；アクセス制御端末が、第１チャネルを介して起動信号を受信した場合に、認証プロセスを起動するステップと；一組の制御信号を一組の第２チャネルを介してアクセス制御端末に順次送信するように、遠隔制御装置が、第１チャネル選択器によって時間に応じた一組の第２チャネルを選択するステップと；一組の第２チャネルを介して一組の制御信号を順次受信するように、アクセス制御端末が、第２チャネル選択器によって時間に応じた一組の第２チャネルを選択するステップと；認証プロセスによって一組の制御信号が所定の規則に一致すると検証された場合に、アクセス制御端末が、スイッチ及び／又はロックを解除するステップと；を含む。
【０００７】
本発明のさらなる実施形態は、ロック制御方法を開示する。このロック制御方法は、遠隔制御装置が、通信技術を用いて、起動信号を第１チャネルを介して送信するステップと；アクセス制御端末が、第１チャネルを介して起動信号を受信した場合に、認証プロセスを起動するステップと；アクセス制御端末が、ローリングコードキーを第２チャネルを介して遠隔制御装置に送信するステップと；ローリングコード発生装置によってローリングコードを生成するように、遠隔制御装置が、ローリングコードキーをローリングコード発生装置に入力するステップと；遠隔制御装置が、通信技術を用いて、ローリングコードを含む制御信号を第３チャネルを介してアクセス制御端末に送信するステップと；アクセス制御端末が、通信技術を用いて、第３チャネルを介して制御信号を受信するステップと；認証プロセスによって制御信号及びローリングコードが所定の規則に一致すると検証された場合に、アクセス制御端末が、スイッチ及び／又はロックを解除するステップと；を含む。
【０００８】
本発明のさらなる実施形態は、ロック制御方法を開示する。このロック制御方法は、遠隔制御モジュールが、通信技術を用いて、起動信号を第１チャネルを介して送信するステップと；アクセス制御端末が、第１チャネルを介して起動信号を受信した場合に、認証プロセスを起動するステップと；アクセス制御端末が、通信技術を用いて、ローリングコードキーを第２チャネルを介して遠隔制御モジュールの遠隔制御装置に送信するステップと；ローリングコード発生装置によってローリングコードを生成するように、遠隔制御装置が、ローリングコードキーを遠隔制御モジュールのローリングコード発生装置に入力するステップと；遠隔制御モジュールの信号送信機が、通信技術を用いて、ローリングコードを含む制御信号を第３チャネルを介してアクセス制御端末に送信するステップと；アクセス制御端末が、通信技術を用いて、第３チャネルを介して制御信号を受信するステップと；認証プロセスによって制御信号及びローリングコードが所定の規則に一致すると検証された場合に、アクセス制御端末が、スイッチ及び／又はロックを解除するステップと；を含む。
【０００９】
本発明のこれらの目的の及び他の目的は、種々の図及び図面に示される好ましい実施形態についての以下の詳細な説明を理解した後に、当業者には明らかになるであろう。
【図面の簡単な説明】
【００１０】
【図１】本発明の第１実施形態によるロックシステムを示す図である。
【図２】図１に示されるロックシステムを制御するロック制御方法のフローチャートである。
【図３】本発明の第２実施形態によるロックシステムを示す図である。
【図４】図３に示されるロックシステムを制御するロック制御方法のフローチャートである。
【図５】本発明の第３実施形態によるロックシステムを示す図である。
【図６】図５に示されるロックシステムを制御するロック制御方法のフローチャートである。
【図７】本発明の第４実施形態によるロックシステムを示す図である。
【図８】図７に示されるロックシステムを制御するロック制御方法のフローチャートである。
【図９】本発明の第４実施形態による別のロックシステムを示す図である。
【発明を実施するための形態】
【００１１】
第１実施形態
図１には、本発明の第１実施形態によるロックシステム１００が示されている。このロックシステム１００は、遠隔制御装置１０２とアクセス制御端末（例えば、ドアの端末）とを含むことができる。遠隔制御装置１０２は、遠隔制御装置１０２を制御するためのキー１０２２を含むことができる。ユーザが、キー１０２２をトリガーした場合に、遠隔制御装置１０２は、起動信号１０９１及び制御信号１０９２を含む信号を送信することができる。キー１０２２は、タッチスクリーン上のグラフィックユーザインタフェース（ＧＵＩ）のあらゆる種類のキー又は機械式ボタンである。遠隔制御装置１０２は、信号を生成して送信するための信号送信機１０２４を含むことができる。アクセス制御端末１０４は、遠隔制御装置１０２から送信された信号を処理するとともに認証するために使用される認証プロセスを実行するような信号処理ユニット１０６を含むことができる。信号送信機１０２４は、単一のチャネル又は複数のチャネルを介して信号を送信することができる。アクセス制御端末１０４は、家庭や、オフィス、自動車又は他のアプリケーションに設置される盗難防止ロック端末とすることができる。アクセス制御端末１０４のロックが解除された場合に、家や車のドアや盗難防止装置は、対応してロックを解除する。遠隔制御装置１０２とアクセス制御端末１０４との間の通信は、赤外線技術、無線周波数技術、近距離無線通信（ＮＦＣ）技術、Ｗｉ−Ｆｉ技術、ジグビー技術、ＵＨＦ無線技術、インターネット・ネットワーク技術、電子メール技術、ブラウザ対話型インタフェース技術、インスタントメッセージング（ＩＭ）技術及び／又は携帯電話のテキストメッセージ技術を用いて構築することができる。
【００１２】
図２には、図１に示されるロックシステム１００を制御するロック制御方法２００のフローチャートが示されている。このロック制御方法２００は、以下のステップを含むことができる。
ステップ２０２：遠隔制御装置１０２が、起動信号１０９１を起動チャネル（すなわち、第１チャネル）を介して送信する。
ステップ２０４：アクセス制御端末１０４が、起動チャネルを介して起動信号１０９１を受信した場合に、認証プロセスを起動する。
ステップ２０６：遠隔制御装置１０２は、一組の制御信号１０９２を一組の制御チャネル（すなわち、複数の第２チャネル）を介してアクセス制御端末１０４に順次送信する。
ステップ２０８：アクセス制御端末１０４は、一組の制御チャネルを介して一組の制御信号１０９２を受信する。
ステップ２１０：認証プロセスは、一組の制御信号１０９２が、所定の規則に一致しているか否かを検証し、はい（一致する）の場合には、ステップ２２０に進み、いいえ（一致しない）の場合には、ステップ２４０に進む。
ステップ２２０：アクセス制御端末１０４は、スイッチ及び／又はロックを解除して、終了する。
ステップ２４０：アクセス制御端末１０４は、スイッチ及び／又はロックを解除しない。
【００１３】
ロック制御方法２００によれば、一組の制御チャネルは、起動チャネルとは異なる。例えば、起動チャネルは、４３３メガヘルツ（ＭＨｚ）の周波数チャネルであってもよく、一方制御チャネルは、８６８ＭＨｚの周波数チャネルであってもよい。従って、たとえ窃盗犯が、ユーザの家の裏手に身を隠し、周波数スキャン装置を使用して４３３ＭＨｚ及び８６８ＭＨｚの２つのチャネルが、この家の領域の周辺で用いられていることを認識した場合であっても、この窃盗犯は、従来技術のロックシステムが単一周波数のチャネルのみを使用しているので、２つのチャネルが同じロックシステムで使用されることを知ることができない。また、一組の制御チャネルは、１つ又は複数の周波数であってもよい。一組の制御チャネルが複数の周波数である場合には、用いられる周波数は、互いに異なっていてもよい。別の例として、一組の制御チャネルが、制御信号Ａ、制御信号Ｂ、及び制御信号Ｃを別々に送信するための３つの制御チャネルを含む場合に、これら３つの制御チャネルの周波数は、４３３ＭＨｚ，８６８ＭＨｚ，９１６ＭＨｚと別々にすることができ、起動チャネルは、（図１に示した起動信号１０９１を送信するために）３１５ＭＨｚの周波数を用いてもよい。チャネル及び信号について、次の表に示す。
【００１４】
【表１】
2016010158.tif 000003
【００１５】
図１及び図２を参照すると、ステップ２０２において、遠隔制御装置１０２は、起動信号１０９１を３１５ＭＨｚの周波数の起動チャネルを介してアクセス制御端末１０４に送信し、それによって、アクセス制御端末１０４は、認証プロセスを起動する。ステップ２０６において、制御信号Ａ，Ｂ，Ｃは、４３３ＭＨｚ，８６８ＭＨｚ，９１６ＭＨｚの別々の周波数の制御チャネルを介してアクセス制御端末１０４に送信される。ステップ２１０において、信号処理ユニット１０６は、制御信号Ａ，Ｂ，Ｃが、認証プロセスのルックアップテーブルにおける予め定められた規則等の所定の規則に一致しているか否かを検証することができる。制御信号Ａ，Ｂ，Ｃが正確であると検証された場合に、アクセス制御端末１０４（例えば、ガレージドア）のスイッチ及び／又はドアのロックが解除される。
【００１６】
上述した実施形態によれば、アクセス制御端末１０４は、制御信号Ａ，Ｂ，Ｃが正確であり、且つ制御信号Ａ，Ｂ，Ｃのチャネル（の周波数）が正確な場合にのみ、ロックを解除することができる。このように、たとえ窃盗犯が、周波数スキャナを使用して、いくつかのチャネルと対応する周波数とを取得した場合であっても、それらのチャネルの正確な順序と送信された制御信号とを知ることは依然として困難である。こうして、ロック制御方法２００は、異なる周波数の複数のチャネルを使用して、盗難防止効果をもたらすことができる。
【００１７】
第２実施形態
図３には、本発明の第２実施形態によるロックシステム３００が示されている。ロックシステム３００は、信号送信機３０２４を有する遠隔制御装置３０２と、信号処理ユニット３０６を有するアクセス制御端末３０４（例えば、ドアの端末）とを含む。信号送信機３０２４は、第１チャネル選択器３０２６を含んでおり、信号処理ユニット３０６は、第２チャネル選択器３０６２を含む。
【００１８】
図４には、図３に示されるロックシステム３００を制御するロック制御方法４００のフローチャートが示されている。ロック制御方法４００は、以下のステップを含むことができる。
ステップ４０２：通信技術を用いて、起動信号３０９１を起動チャネルを介して送信するように、遠隔制御装置３０２は、第１チャネル選択器３０２６によって時間に応じた起動チャネル（すなわち、第１チャネル）を選択する。
ステップ４０４：起動チャネルを介して起動信号３０９１を受信するように、アクセス制御端末３０４は、第２チャネル選択器３０６２によって時間に応じた起動チャネルを選択する。
ステップ４０６：アクセス制御端末３０４は、起動チャネルを介して起動信号３０９１を受信した場合に、認証プロセスを起動する。
ステップ４０８：一組の制御信号３０９２を一組の制御チャネルを介してアクセス制御端末３０４に順次を送信するように、遠隔制御装置３０２は、第１チャネル選択器３０２６によって時間に応じた一組の制御チャネル（すなわち、一組の第２チャネル）を選択する。
ステップ４１０：一組の制御チャネルを介して一組の制御信号３０９２を順次受信するように、アクセス制御端末３０４は、第２チャネル選択器３０６２によって時間に応じた一組の制御チャネルを選択する。
ステップ４１２：認証プロセスが、一組の制御信号３０９２が所定の規則に一致しているか否かを検証し、はい（一致する）の場合には、ステップ４１４に進み、いいえ（一致しない）の場合には、ステップ４１６に進む。
ステップ４１４：アクセス制御端末３０４が、スイッチ及び／又はドアのロックを解除して、終了する。
ステップ４１６：アクセス制御端末３０４が、スイッチ及び／又はドアをロックされた状態に維持する。
【００１９】
ロック制御方法４００をロック制御方法３００と比較すると、ロック制御方法４００によれば、起動チャネルは、ロック制御方法３００の周波数における一組の制御チャネルとは異なる。つまり、複数の周波数も用いられている。方法４００によれば、ステップ４０２において、起動チャネルの周波数は、起動信号３０９１を送信するために、第１チャネル選択器３０２６によって時間に応じてさらに選択され、ステップ４０４において、起動チャネルの周波数は、起動信号３０９１を受信するために、第２チャネル選択器３０６２によって時間に応じて選択される。こうして、たとえ窃盗犯が、周波数スキャナを使用して、用いられるチャネルを見破り且つ知り得た場合であっても、用いられるチャネルは、時間に応じて変化するので、窃盗犯によって判断された見破られたチャネルは、所定の期間経過後に無効になる。同様に、ステップ４０８において、遠隔制御装置３０２の第１チャネル選択器３０２６は、一組の制御信号３０９２を送信するために、時間に応じた一組の制御チャネルを選択し、ステップ４１０において、アクセス制御端末３０４の第２チャネル選択器３０６２は、一組の制御信号３０９２を受信するために、一組の同じ制御チャネルを選択する。使用される起動チャネル及び制御チャネル（複数可）は、ユーザがロックシステムを操作するその時間に依存して変更することができる。例えば、ユーザが、午前７：５５にオフィス向けて家を出発し、午後８：２０に家に帰ってくる場合に、午前中に選択された起動チャネル及び制御チャネル（複数可）は、午後に選択された起動チャネル及び制御チャネルとは周波数及びチャネルの組合せが異なっていてもよい。従って、ロックシステム及びロック制御方法は、より高い盗難防止効果を有することができる。チャネル及び対応する周波数について、次の表のように示される。
【００２０】
【表２】
2016010158.tif 000004
【００２１】
【表３】
2016010158.tif 000005
【００２２】
こうして、選択された起動チャネル及び制御チャネル（複数可）の周波数が、時間によって異なり、それによって、盗難防止効果が向上される。
【００２３】
信号を正確に送受信するように、（遠隔制御装置３０２の）第１チャネル選択器３０２６によって選択されたチャネルが、（アクセス制御端末３０４の）第２チャネル選択器３０６２によって選択されたチャネルに一致するためには、第１チャネル選択器３０２６及び第２チャネル選択器３０６２は、これら２つの選択器のクロックが同期するように相互に同期させる必要がある。遠隔制御装置３０２及びアクセス制御端末３０４は、近距離無線通信（ＮＦＣ）又はＢｌｕｅｔｏｏｔｈ（登録商標）の方式を介して同期するように互いに感知することができる。遠隔制御装置３０２及びアクセス制御端末３０４には、原子時計等の標準時間装置に接続された無線局により送信されるタイムコード信号によって自動的に同期するような無線クロック／時計を埋め込むことができ、それによって、第１及び第２チャネル選択器３０２６及び３０６２を、互いに同期させることができる。本発明の実施形態によれば、遠隔制御装置３０２及びアクセス制御端末３０４によってそれぞれ測定された時間の間の許容範囲は、起動／制御信号を正確に送信／受信するように、第１及び第２チャネル選択器によって選択されたチャネルを、誤りエラーなしに互いに一致させるような所定値（例えば、プラスマイナス３秒）にすることができる。
【００２４】
本発明の別の実施形態によれば、第１及び第２チャネル選択器によって選択されたチャネルは、動作周波数内の無線チャネルに限定されるものではない。選択されたチャネルは、複数の通信技術を用いてもよい。例えば、選択された起動チャネルは、より高いセキュリティのために複数のチャネルを用いるように、第１の期間ではＵＨＦ無線チャネルであり、第２の期間ではインスタントメッセージ（ＩＭ）によってアクセスされるインターネットチャネルとすることができる。また、本発明の別の実施形態によれば、遠隔制御装置とアクセス制御端末（例えば、ガレージドアの端末）との間でインターネットを介して信号を送信／受信するためのインスタントメッセージを送信／受信するために別のアカウントを使用する場合に、これは、信号を送信／受信するために、異なるチャネル（すなわち、複数のチャネル）を使用しているとみなすことができる。
【００２５】
第３実施形態
図５には、本発明の第３実施形態によるロックシステム５００が示されている。このロックシステム５００は、ローリングコード発生装置５０２６を含む信号送信機５０２４を有するような遠隔制御装置５０２と、信号処理ユニット５０６を有するようなアクセス制御端末５０４とを含む。遠隔制御装置５０２は、起動信号５０９１を送信し、制御信号５０９２を送信し、且つローリングコードキー(rolling code key)５０９９を受信するように構成される。アクセス制御端末５０４は、起動信号５０９１を受信し、制御信号５０９２を受信し、且つローリングコードキー５０９９を送信するように構成される。ローリングコード発生装置５０２６は、受信したローリングコードキー５０９９に応じてローリングコード(rolling code)５０９４を生成するように構成される。信号処理ユニット５０６は、遠隔制御装置５０２から受信した起動信号５０９１及び制御信号５０９２を処理して、ローリングコードキー５０９９を生成するように構成される。図５に示されるように、ローリングコード５０９４は、制御信号５０９２によって搬送される。
【００２６】
図６には、図５のロックシステム５００を制御するロック制御方法６００のフローチャートが示されている。このロック制御方法６００は、以下のステップを含む。
ステップ６０２：遠隔制御装置５０２は、通信技術を用いて、起動信号５０９１を起動チャネル（第１チャネル）を介して送信する。
ステップ６０４：アクセス制御端末５０４は、起動チャネルを介して起動信号５０９１を受信した場合に、認証プロセスを起動する。
ステップ６０６：アクセス制御端末５０４は、ローリングコードキー５０９９を第１の制御チャネル（第２チャネル）を介して遠隔制御装置５０２に送信する。
ステップ６０８：ローリングコード発生装置５０２６によってローリングコード５０９４を生成するように、遠隔制御装置５０２は、ローリングコードキー５０９９をローリングコード発生装置５０２６に入力する。
ステップ６１０：遠隔制御装置５０２は、通信技術を用いて、ローリングコード５０９４を含む制御信号５０９２を第２の制御チャネル（第３チャネル）を介してアクセス制御端末５０４に送信する。
ステップ６１２：アクセス制御端末５０４は、通信技術を用いて、第２の制御チャネルを介して制御信号５０９２を受信する。
ステップ６１４：認証プロセスは、制御信号５０９２及びローリングコード５０９４が、所定の規則に一致しているか否かを検証する。はい（一致する）の場合には、ステップ６１６に進み、いいえ（一致しない）の場合には、ステップ６１８に進む。
ステップ６１６：アクセス制御端末５０４は、制御信号５０９２及びローリングコード５０９４が、認証プロセスによって所定の規則に一致すると検証された場合に、スイッチ及び／又はロックを解除して、終了する。
ステップ６１８：アクセス制御端末５０４は、制御信号５０９２及びローリングコード５０９４が、認証プロセスによって所定の規則に一致しないことが検証された場合に、スイッチ及び／又はロックを解除しない。
【００２７】
ロック制御方法５００では、起動信号５０９１を送信するための起動チャネル、ローリングコードキー５０９９を送信するための第１チャネル、及び制御信号５０９２を送信するための第２の制御チャネルが、互いに異なっていてもよい。ステップ６０６及び６０８において、アクセス制御端末５０４は、ローリングコードキー５０９９を遠隔制御装置５０２のローリングコード発生装置５０２６に送信して、ローリングコード５０９４を生成させる。本発明の実施形態によれば、ローリングコード発生装置５０２６は、ローリングコードキー５０９９に応じてローリングコード５０９４を生成するために使用される数学関数及び／又はデコードテーブルを含むことができる。ローリングコード５０９４は、ロックシステムをクラッキングする（破る）ことの困難性を増大させるために使用される非固定式のシークレットコードである。ローリングコードキー５０９９は、非固定式シークレットコード（すなわち、ローリングコード５０９４）を生成するためのシード(seed)パラメータとすることができる。
【００２８】
複数のアルゴリズム又は手段を使用して、ローリングコードキー５０９９に応じてローリングコード５０９４を生成することができる。それらの方法の一つが、次の表に示されている。
【００２９】
【表４】
2016010158.tif 000006
【００３０】
この実施形態によれば、ローリングコード５０９４は、ローリングコードキー５０９９を、ローリングコード５０９４を生成するために使用されるテーブルの空白に埋めることにより生成される。アクセス制御端末５０４（例えば、ドアの端末）が、ローリングコードキー５０９９（例えば、上記の表に示される１，３，５）を送信する場合に、認証プロセスは、ローリングコードキー５０９９に対応する検証コード（例えば、上記の表に示される１，２，３，４，５）を、受信した制御信号を検証するための所定の規則として設定する。こうして、窃盗犯が、周波数スキャナを使用して、ローリングコードキー５０９９及びローリングコード発生装置５０２６を用いてローリングコード５０９４を生成するメカニズムを知ることなく、使用されるチャネルを知り得た場合でも、このロックシステムを破ることは困難である。上に示した表は、ローリングコードキー５０９９を用いることによりローリングコード５０９４を生成し且つ検証することを説明するための単なる一例であり、他のアルゴリズム及び手段（例えば、数学関数）を使用して、本発明の別の実施形態によるローリングコードキー５０９９を用いてローリングコード５０９４を生成することができる。
【００３１】
第４実施形態
図７には、本発明の第４実施形態によるロックシステム７００が示されている。ロックシステム７００は、遠隔制御モジュール７０２とアクセス制御端末７０４とを含む。遠隔制御モジュール７０２は、起動信号７０９１を送信し、制御信号７０９１を送信し、且つローリングコードキー７０９９を受信するように構成される。遠隔制御モジュール７０２は、遠隔制御装置７０２１と信号送信機７０２４とを含む。遠隔制御装置７０２１は、起動信号７０９１を送信し、ローリングコードキー７０９９を送受信するように構成される。信号送信機７０２４は、ローリングコード発生装置７０２６を含む。ローリングコード発生装置７０２６は、ローリングコードキー７０９９に応じてローリングコード７０９４を生成するように構成される。アクセス制御端末７０４（例えば、ドアの端末）は、信号処理ユニット７０６を含む。信号処理ユニット７０６は、アクセス制御端末によって受信された起動信号７０９１及び制御信号７０９２を処理し、ローリングコードキー７０９９を生成するように構成される。図７に示されるように、ローリングコード７０９４は、制御信号７０９２で搬送してもよい。
【００３２】
図８には、図７に示されるロックシステム７００を制御するロック制御方法８００のフローチャートが示されている。このロック制御方法８００は、以下のステップを含む。
ステップ８０２：遠隔制御モジュール７０２は、通信技術を用いて、起動信号７０９１を起動チャネル（第１チャネル）を介して送信する。
ステップ８０４：アクセス制御端末７０４は、起動チャネルを介して起動信号７０９１を受信した場合に、認証プロセスを起動する。
ステップ８０６：アクセス制御端末７０４は、通信技術を用いて、ローリングコードキー７０９９を第１の制御チャネル（第２チャネル）を介して遠隔制御モジュール７０２の遠隔制御装置７０２１に送信する。
ステップ８０８：ローリングコード発生装置７０２６によってローリングコード７０９４を生成するように、遠隔制御装置７０２１は、ローリングコードキー７０９９を遠隔制御モジュール７０２のローリングコード発生装置７０２６に入力する。
ステップ８１０：遠隔制御モジュール７０２の信号送信機７０２４は、通信技術を用いて、ローリングコード７０９２を含む制御信号７０９２を第２の制御チャネル（第３チャネル）を介してアクセス制御端末７０４に送信する。
ステップ８１２：アクセス制御端末７０４は、通信技術を用いて、第２の制御チャネルを介して制御信号７０９２を受信する。
ステップ８１４：信号処理ユニット７０６は、制御信号７０９２及びこの制御信号７０９２によって搬送されるローリングコードが、所定の規則に一致しているか否かを検証し、はい（一致する）の場合には、ステップ８１６に進み、いいえ（一致しない）場合には、ステップ８１８に進む。
ステップ８１６：アクセス制御ユニット８０４は、スイッチ及び／又はロックを解除して、終了する。
ステップ８１８：アクセス制御ユニット８０４は、スイッチ及び／又はロックを解除しない。
【００３３】
図７及び図８に示される本発明の第４実施形態によれば、図１，３又は５に示される遠隔制御装置が、遠隔制御モジュール７０２によって置き換えられている。遠隔制御装置７０２１は、携帯電話であってもよく、信号送信機７０２４は、自動車に搭載される電子機器やセキュリティ警報装置であってもよい。例えばガレージ用ドアであるアクセス制御端末７０４を想定すると、ユーザが自宅に到着したときに、ユーザは、遠隔制御装置７０２１（例えば、携帯電話）を操作して、起動信号７０９１を、ＵＨＳラジオ、Ｗｉ−Ｆｉ、テキストメッセージ、及び／又はインスタントメッセージツール（例えばＳｋｙｐｅ（登録商標）、ＷｈａｔｓＡｐｐ（登録商標））等の通信技術を介してアクセス制御端末７０４に送信することができる。アクセス制御端末７０４は、起動信号を受信すると、遠隔制御装置７０２１（例えば、携帯電話）にローリングコードキー７０９９を送り返すことができる。例えば、ローリングコードキー７０９９は、テキストメッセージによって送信された使い捨てパスワード（ＯＴＰ）であってもよい。遠隔制御装置７０２１は、ローリングコードキー７０９９を、ローリングコードキーパス（例えば、ブルートゥースチャネル、ＮＦＣチャネル、又はユーザによって手動で入力される）を介して信号送信機７０２４（例えば、車に設置された信号送信機）に送信することができる。信号送信機７０２４のローリングコード発生装置７０２６は、ローリングコードキー７０９９に応じてローリングコード７０９４を生成することができる。信号送信機７０２４は、（搬送波を使用することによって）ローリングコード７０９４を搬送する制御信号７０９４を、アクセス制御端末７０４によって起動される認証プロセスのためにアクセス制御端末７０４に送信して、制御信号７０９２及びローリングコード７０９４が、所定の規則に一致しているか否かを検証することができる。
【００３４】
本発明の実施形態によれば、遠隔制御装置７０２１がスマートフォンである場合に、ユーザは、図７及び図８に示されるロックシステム及びロック制御方法を使用するために、ロックシステムの販売会社によって提供されるモバイルアプリケーション（別名アプリ）をダウンロードすることができる。信号送信機７０２４は、遠隔制御装置７０２１と一緒に遠隔制御モジュール７０２に含められるが、信号送信機７０２４は、アクセス制御端末７０４（例えば、ドアの端末）にも設置することができる。例えば、アクセス制御端末７０４が金庫のドアである場合に、信号送信機７０２４を、金庫に設置することができる。ユーザが金庫を開こうとすると、このユーザは、遠隔制御装置７０２１（例えば、スマートフォンや専用遠隔制御装置）によって起動信号７０９１を送信し、遠隔制御装置７０２１は、ローリングコードキー７０９９（例えば、３０秒で期限が切れる一組のＯＴＰ）を受信することができる。ユーザは、例えば、金庫に設置される信号送信機７０２４の複数のパッドを介してローリングコードキー７０９９をキー入力することによって、受信したローリングコードキー７０９９を信号送信機７０２４に入力してもよい。ローリングコード７０９４は、ローリングコード発生装置７０２６によって生成されており、ローリングコード７０９４及び制御信号７０９２が、所定の規則に一致している場合に、アクセス制御端末７０４のロックシステムを安全に解除する（例えば、金庫を開ける）ために、制御信号７０９２によって搬送され、信号送信機７０２４からアクセス制御端末７０４に送信することができる。ローリングコードキー７０９９に応じてローリングコード７０９４を生成するとともに、（例えば、ルックアップテーブルを用いて）ローリングコード７０９４及び制御信号７０９２を検証する方法は、上述した第３実施形態によるものと同様に行うことができ、再び繰り返さない。
【００３５】
図９には、本発明の第４実施形態による別のロックシステム９００が示されている。ロックシステム９００は、ロックシステム７００と同様である。しかしながら、ロックシステム９００のユーザがアクセス制御端末７０４のロックを解除しようとすると、ユーザは、信号送信機７０２４に、通知信号９９０を第３の制御チャネル（すなわち、通知チャネル）を介して信号送信機７０２４に送信させ、起動信号７０９１をアクセス制御端末７０４に送信する。遠隔制御装置７０９９がローリングコードキー７０９９を受信した場合に、ローリングコード７０９４は、図７に示されるように信号送信機７０２４に含める代わりに遠隔制御装置７０２１に含まれるローリングコード発生装置７０２６によって生成される。このように、遠隔制御装置７０２１（例えば、スマートフォン）は、ローリングコード７０９４を生成し、（例えば、搬送波を使用して）ローリングコード７０９４を搬送する制御信号７０９２をアクセス制御端末７０４に送信するために、ローリングコード７０９４を信号送信機７０２４（例えば、自動車に搭載された電子機器）に送信することができ、且つ認証プロセスは、制御信号７０９２及びこの制御信号７０９２によって搬送されたローリングコード７０９４を検証することができる。説明するローリングコード発生装置は、本発明の第４実施形態による遠隔制御モジュールの遠隔制御装置又は信号送信機に統合することができる。説明する起動信号は、本発明の第４実施形態による遠隔制御モジュールの遠隔制御装置又は信号送信機により、アクセス制御端末に送信することができる。
【００３６】
結論
本願で説明された実施形態によれば、起動チャネルとこの起動チャネルとは異なる一組の制御チャネル（すなわち、複数のチャネル）を用いて、より高い盗難防止効果を得ることができる。起動チャネル及び一組の制御チャネルは、固定される又は時間によって変化してもよい。ロックシステムをクラッキングする（破る）ことの困難性を増大させるために、非固定式ローリングコードを、制御信号により搬送することができる。第３及び第４実施形態によれば、ローリングコードは、アクセス制御端末から送信されたローリングコードキーに応じてさらに生成することができ、ロックシステムをクラッキングする（破る）ための負担をさらに増大させることができる。
【００３７】
ローリングコードキーは、遠隔制御装置又は遠隔制御モジュールがアクセス制御端末と十分に同期している場合に、操作時間によって生成することができる。例えば、次の表を考慮すると、各ローリングコードは、対応するローリングコードキーに応じて生成され、ローリングコードは、生成される時間によって変化する。例えば、午前９：３６に生成されたローリングコードは、午後８：１４に生成されたローリングコードとは異なる。つまり、ローリングコードは、時間及びローリングコードキーに基づいて生成され、それによって、ロックシステムをクラックする（破る）ことはより困難になる。
【００３８】
【表５】
2016010158.tif 000007
【００３９】
【表６】
2016010158.tif 000008
【００４０】
上述した第１〜第４実施形態によれば、起動チャネルを介して起動信号を受信した場合に、認証プロセスを起動するアクセス制御端末は、起動信号を受信した場合に、認証プロセスをオンにする及び起動するようなアクセス制御端末であってもよい。換言すれば、本発明の実施形態によれば、アクセス制御端末の信号処理ユニットに供給する電力は、起動信号を受信する前にオンされないようにすることができ、ロックシステムは、起動信号を受信していない場合に、正確な制御信号を受信してもロックを解除しないようにすることができる。こうして、セキュリティを向上させることができる。
【００４１】
図１では、遠隔制御装置１０２上のキー１０２２は、ユーザが制御（例えば、タッチする又は押す）して信号を送信するように示されているが、このキー１０２２は、グラフィックユーザインタフェース（ＧＵＩ）、音声制御インタフェース、又は他の手段に置き換えてもよい。本発明の実施形態によれば、遠隔制御装置は、とりわけ、ボタン制御装置、音声制御装置、スマートフォン、タブレットコンピュータ、ラップトップコンピュータ、及び／又はウエアラブル(wearable)装置であってもよい。遠隔制御装置は、指紋認識装置、声紋認識装置、顔認識装置及び／又は虹彩認識装置等のアイデンティティ認識装置を含んでもよい。通信技術は、赤外線技術、無線周波数技術、近距離通信技術、Ｗｉ−Ｆｉ技術、ジグビー技術、ＵＨＦ無線技術、インターネット・ネットワーク技術、電子メール技術、ブラウザ対話インタフェース技術、インスタントメッセージング（ＩＭ）技術及び／又は携帯電話のテキストメッセージ技術であってもよい。（マルチチャネルとしても知られている）説明される複数のチャネルは、それぞれ異なる複数の周波数チャネルによって実施されるだけでなく、異なる通信技術のチャネルによっても実施することができる。例えば、ＵＨＦ無線チャネルを介して起動信号を送信し、テキストメッセージを介してローリングコードキーを受信し、且つ制御信号をＮＦＣ経路を介して送信する場合に、複数のチャネルを使用するとみなすことができる。さらに、異なる信号を異なるＩＰアドレス及び／又は異なるインターネットポートを用いて送信／受信することは、複数のチャネルと通信するとみなすことができる。例えば、第１のポート１２７．０．０．１：８０００及び第２のポート１２７．０．０．１：８０８０は、本発明の実施形態による２つの異なるチャネルとみなすことができる。
【００４２】
要約すると、本発明の実施形態に従って開示されたロック制御方法は、複数のチャネル及びローリングコードを使用して、盗難防止ロックシステムをクラッキングする（破る）ことの困難性を増大させることができ、用いられる複数のチャネル及びローリングコードは、固定されたままの状態というよりも、時間によって変化するように、時間によって選択されても又は生成されてもよい。ローリングコードは、窃盗犯が偽造ローリングコード発生装置を複製するのを防止するために、ローリングキーに応じて生成してもよい。従って、本発明に従って開示されたロックシステム及びロック制御方法は、ロックシステムのセキュリティを大幅に向上させることができる。
【００４３】
当業者は、本発明の教示を認識した状態で、装置及び方法について多くの修正及び変更を行い得ることを容易に気付くだろう。従って、上述した開示は、添付した特許請求の範囲の境界によってのみ限定されるものとして解釈すべきである。
【図１】
2016010158.tif 000009
【図２】
2016010158.tif 000010
【図３】
2016010158.tif 000011
【図４】
2016010158.tif 000012
【図５】
2016010158.tif 000013
【図６】
2016010158.tif 000014
【図７】
2016010158.tif 000015
【図８】
2016010158.tif 000016
【図９】
2016010158.tif 000017